(57)【要約】【課題】衛生洗浄装置が便器のボウルに被る部分を減らしつつ、機内で生じた排水が衛生洗浄装置と便器との隙間に侵入しにくい衛生洗浄装置及びこれを備えたトイレ装置を提供する。【解決手段】吐水ノズルを内蔵し、腰掛便器８００の上部に設置される本体部４００を備え、前記本体部は、その内部で発生した排水を前記腰掛便器のボウル８１０に排出する排水口７７２Ｃを有し、前記排水口の近傍に水切り溝７９４が設けられたことを特徴とする衛生洗浄装置、または、吐水ノズルを内蔵し、腰掛便器の上部に設置される本体部を備え、前記本体部は、その内部で発生した排水を前記腰掛便器のボウルに排出する排水口を有し、前記排水口より後方の前記本体部の裏面に水切り溝が設けられたことを特徴とする衛生洗浄装置１００を提供する。【選択図】  図３
2007315109.tif 000002
【特許請求の範囲】
【請求項１】
吐水ノズルを内蔵し、腰掛便器の上部に設置される本体部を備え、
前記本体部は、その内部で発生した排水を前記腰掛便器のボウルに排出する排水口を有し、
前記排水口の近傍に水切り溝が設けられたことを特徴とする衛生洗浄装置。
【請求項２】
吐水ノズルを内蔵し、腰掛便器の上部に設置される本体部を備え、
前記本体部は、その内部で発生した排水を前記腰掛便器のボウルに排出する排水口を有し、
前記排水口より後方の前記本体部の裏面に水切り溝が設けられたことを特徴とする衛生洗浄装置。
【請求項３】
前記本体部の裏面は、前記本体部を前記腰掛便器に設置した状態において前記水切り溝から後方に向けて高くなる斜面を有することを特徴とする請求項１または２に記載の衛生洗浄装置。
【請求項４】
前記水切り溝の両端は、前記排水口を挟んで前記本体部の前方に開口してなることを特徴とする請求項１〜３のいずれか１つに記載の衛生洗浄装置。
【請求項５】
前記水切り溝は、断面がＶ字状であることを特徴とする請求項１〜４のいずれか１つに記載の衛生洗浄装置。
【請求項６】
前記水切り溝の前方の内壁面は、前記本体部を前記腰掛便器に設置した状態において略鉛直面となることを特徴とする請求項１〜５のいずれか１つに記載の衛生洗浄装置。
【請求項７】
前記本体部の前面は、前記腰掛便器のボウルの開口端に沿って凹ませた湾曲凹面を有することを特徴とする請求項１〜６のいずれか１つに記載の衛生洗浄装置。
【請求項８】
腰掛便器と、
前記腰掛便器の上部に設置される請求項１〜６のいずれか１つに記載の衛生洗浄装置と、
を備えたことを特徴とするトイレ装置。
【発明の詳細な説明】
【技術分野】
【０００１】
本発明は、衛生洗浄装置及びトイレ装置に関し、より具体的には、洋式腰掛便器に腰かけた使用者の「おしり」などを水で洗浄する衛生洗浄装置及びこれを備えたトイレ装置に関する。
【背景技術】
【０００２】
衛生洗浄装置は、洗浄水を噴射する吐水ノズルをその内部に進退自在に収容し、腰掛便器の上面後部に設置して使用する形態のものが主流となっている。そして、このような衛生洗浄装置の清掃性の向上などを目的として、その小型化が検討されている。すなわち、衛生洗浄装置の前面を後退させれば、腰掛便器のボウルに被る部分を減らすことができ、ボウルに被った衛生洗浄装置の裏面の汚れ落としの手間などが省ける。このためには、例えば、衛生洗浄装置の前面を後退させ、便器のボウルの開口端と一致するように湾曲状に形成することも考えられる（特許文献１）。
【特許文献１】特開２００３−３３９５７８号公報
【発明の開示】
【発明が解決しようとする課題】
【０００３】
吐水ノズルを清潔に保つためには、その使用の前後に、衛生洗浄装置の機内で吐水ノズルを洗浄するとよい。この際に、排水が生ずる。この排水は、便器のボウル内に排出する必要がある。しかし、衛生洗浄装置の前面をボウルの開口端に沿って後退させると、排水口からボウルの縁までの距離が短くなり、衛生洗浄装置から排出された水が衛生洗浄装置の裏面に回り込んで衛生洗浄装置と便器との隙間に侵入するおそれがある。衛生洗浄装置と便器との隙間に水が侵入すると、漏水や臭気の発生などの原因となることも考えられる。
【０００４】
本発明は、かかる課題の認識に基づいてなされたものであり、衛生洗浄装置が便器のボウルに被る部分を減らしつつ、機内で生じた排水が衛生洗浄装置と便器との隙間に侵入しにくい衛生洗浄装置及びこれを備えたトイレ装置を提供するものである。
【課題を解決するための手段】
【０００５】
本発明の一態様によれば、
吐水ノズルを内蔵し、腰掛便器の上部に設置される本体部を備え、
前記本体部は、その内部で発生した排水を前記腰掛便器のボウルに排出する排水口を有し、
前記排水口の近傍に水切り溝が設けられたことを特徴とする衛生洗浄装置が提供される。
【０００６】
また、本発明の他の一態様によれば、
吐水ノズルを内蔵し、腰掛便器の上部に設置される本体部を備え、
前記本体部は、その内部で発生した排水を前記腰掛便器のボウルに排出する排水口を有し、
前記排水口より後方の前記本体部の裏面に水切り溝が設けられたことを特徴とする衛生洗浄装置が提供される。
【０００７】
また、本発明のさらに他の一態様によれば、
腰掛便器と、
前記腰掛便器の上部に設置される上記の衛生洗浄装置と、
を備えたことを特徴とするトイレ装置が提供される。
【発明の効果】
【０００８】
本発明によれば、衛生洗浄装置が便器のボウルに被る部分を減らしつつ、機内で生じた排水が衛生洗浄装置と便器との隙間に侵入しにくい衛生洗浄装置及びこれを備えたトイレ装置を提供することができる。
【発明を実施するための最良の形態】
【０００９】
以下、図面を参照しつつ本発明の実施の形態について説明する。  
図１は、本発明の実施の形態にかかるトイレ装置の外観を表す模式斜視図である。  
また、図２は、このトイレ装置の便座２００と便蓋３００を開いた状態を表す。
【００１０】
本実施形態のトイレ装置は、洋式腰掛便器８００と、その上に設けられた衛生洗浄装置１００と、を備える。衛生洗浄装置１００は、本体部４００と、便座２００と、便蓋３００と、を有する。便座２００と便蓋３００は、本体部４００に対して開閉自在にそれぞれ軸支されている。
【００１１】
本体部４００には、衛生洗浄を実現するための衛生洗浄機能部が内蔵されている。すなわち、着座センサ４２０により使用者が便座２００に座ったことを検知し、使用者のスイッチ操作などに応じて本体部４００から吐水ノズル（図示せず）を便器８００のボウル内に進出させ、その先端付近に設けられた吐水口から水を噴射して、便座に座った使用者の「おしり」などを洗浄可能とされている。なお、本願明細書において「水」という場合には、冷水のみならず、加熱されたお湯も含むものとする。
【００１２】
また、本体部４００には、「脱臭ユニット」や「温風乾燥ユニット」、「室内暖房ユニット」などの各種の機構が適宜設けられ、その側面には、脱臭ユニットからの排気口４４０及び室内暖房ユニットからの排出口４５０が適宜設けられている。また、使用者の接近を検知して便蓋３００を自動的に開き、使用者がいなくなると便蓋３００を自動的に閉じる「オート開閉機能」を設けることもできる。またさらに、便器８００に洗浄水を流す「自動水洗機能」を、衛生洗浄装置１００に付加してもよい。これは、ロータンクやフラッシュバルブの排水機構を動作させる駆動機構を設け、この駆動機構を動作させる信号を本体部４００から出力して、便器８００に自動的に洗浄水を流す機能である。
【００１３】
これらの機能は、本体部４００に設けられた操作部（図示せず）を適宜操作することにより実行・設定でき、また、トイレの壁面などに設置されたリモコン（図示せず）を操作することにより実行させることも可能である。また、本体部４００の上面に凹設部４１０が形成され、この凹設部４１０に一部が埋め込まれるように人体検知センサ５００が設けられている。人体検知センサ５００は、便蓋３００が閉じた状態においては、その基部付近に設けられた透過窓３１０を介して使用者の存在を検知する。
【００１４】
そして、本実施形態においては、図２に表したように、本体部４００が、便器８００のボウル８１０の開口端に合わせて後退した形状を有する。すなわち、本体部４００は、便器８００の上部後方に設置され、その前面が、便器８００のボウル８１０の開口端の形状に沿ってボウル８１０の開口端よりもボウル８１０の側にわずかに突出するように凹状に湾曲した湾曲凹面４０２とされている。なおここで、「後方」とは、図１に表したように、通常はロータンクやフラッシュバルブなどが設置される側であり、通常の使用態様において使用者からみて遠い側を意味する。
【００１５】
湾曲凹面４０２の左右には、ボウル８１０の開口端に沿って前方に向けて延出した延出部４０４が設けられている。湾曲凹面４０２は、その中央付近が高く、左右の延出部４０４に近づくにしたがって次第に低くなる形状を有する。
【００１６】
湾曲凹面４０２の中央付近の高い部分には、吐水ノズルを進出及び後退させる開口部及びその開口部を覆う閉止部材としてのノズルダンパー４６０が設けられ、その右側には、温風吹出口及び温風吹出口を覆う閉止部材として温風ダンパー４７０が設けられている。これらは、いずれも開閉自在に支持され、待機状態においては、いずれも閉じられた状態とされる。そして、便座２００に座った使用者の「おしり」などを洗浄するために吐水ノズルが進出すると、ノズルダンパー４６０が開く。また、温風乾燥ユニット６２０から使用者の「おしり」などに向けて温風を吹き付ける際には、温風ダンパー４７０が開く。
【００１７】
そして、本実施形態によれば、湾曲凹面４０２をボウル８１０の開口端よりもボウル８１０の側にわずかに突出させ、その突出部の下面に溝を設けることにより、本体部４００がボウル８１０に被る部分を減らしてボウル８１０のほとんどを露出させつつ、機内から排出される水が本体部４００とボウル８１０の開口端との隙間に侵入することを効果的に防止できる。  
図３は、本具体例の衛生洗浄装置の本体部４００の断面構造を表す一部拡大断面図である。すなわち、図３は、ノズルダンパー４６０の部分で本体部４００を縦に切断した断面図である。  
本体部４００は、筐体を構成するケースカバー４３０とケースプレート７７０とを有する。ケースプレート７７０には、機内で生じた排水を排出する排水流路７７２が設けられている。そして、排水流路７７２の流路端（排水口）７７２Ｃの近傍において、ケースプレート７７０の裏面側に、下方に突出する傾斜部７９２が設けられている。さらに、傾斜部７９２の斜面７９２Ｂに、水切り溝７９４が設けられている。このような水切り溝７９４を設けることによって、機内で生じた排水を排出する際などに、傾斜部７９２の斜面７９２Ｂを水が這い上がることを効果的に防止できる。
【００１８】
図３には、ノズルユニット６１０が表されている。  
図４は、ノズルユニット６１０の動作を例示する模式図である。  
本具体例のノズルユニット６１０は３段式の構造を有する。すなわち、ノズル基部６１１の上に第３のシリンダ部６１２が固定され、その内側に第２のシリンダ部６１３が進退自在に支持され、第２のシリンダ部６１３の内側に第１のシリンダ部６１４が進退自在に支持され、第１のシリンダ部６１４の内側に噴射孔６１６を有するノズルヘッド６１５が進退自在に支持されている。また、第３のシリンダ部６１２の前方には、吐水ノズルの胴体を洗浄するノズル洗浄室６１７が設けられている。ノズル洗浄室６１７は、例えば、上方と左右から吐水ノズルを取り囲み、下方は開放された構造体とすることができる。
【００１９】
この吐水ノズルは、図４（ａ）に表したように後退した状態においては、本体部４００の中に収容され、図４（ｂ）に表したように進出した状態においては、ノズルダンパー４６０（図２及び図３参照）を開いてボウル８１０の中に進出する。そして、吐水ノズルがこのように進出・後退する際に、ノズル洗浄室６１７において水を噴射させ、吐水ノズルの胴体を洗浄する。この際に、排水が生ずる。この排水は、図３に表したように、下方に傾斜した排水流路７７２を流下し、その流路端（排水口）７７２Ｃからボウル８１０に向けて排出される。この排水流路７７２に対応して、ケースプレート７７０の裏面側に傾斜部７９２が設けられている。
【００２０】
図５は、傾斜部７９２の拡大断面図である。  
傾斜部７９２の先端付近には、水切り溝７９４が設けられている。水切り溝７９４の前方には、壁状部７９３が設けられている。
【００２１】
機内においてノズル洗浄室６１７（図４参照）などから排出された排水は、ケースプレート７７０の排水流路７７２に沿って流れ、その流路端（排水口）７７２Ｃから放出される。この際に、流路端（排水口）７７２Ｃからケースプレート７７０の前面７９２Ａを流下する流れが生ずることもある。ケースプレート７７０の前面７９２Ａを流下した水の殆どは、前面７９２Ａの下端からボウル８１０に落下するが、その流量が小さい場合などには、表面張力により前面７９２Ａの先端からケースプレート７７０の裏面側に回り込み、斜面７９２Ｂを這い上がることもある。このようにして斜面７９２Ｂを這い上がった水は、本体部４００と便器８００との隙間に侵入することもあり得る。
【００２２】
これに対して、本具体例によれば、傾斜部７９２の斜面７９２Ｂに水切り溝７９４を設けることにより、傾斜部７９２を這い上がろうとする水が水切り溝７９４で堰き止められて、水の這い上がりを効果的に防止できる。本具体例における水切り溝７９４は、特に、水の流量が小さい場合に、傾斜部７９２の斜面７９２Ｂへの這い上がりや回り込みを効果的に防止できる。
【００２３】
水切り溝７９４の幅Ｗ１は、水がその表面張力により水切り溝７９４を満たすことができる程度の幅とすることが望ましい。具体的には、幅Ｗ１は、１．５〜３．０ミリメータ程度とすることが望ましい。このようにすると、水が斜面７９２Ｂのほうに這い上がった場合に、まず水切り溝７９４を満たす。そして、さらに水の量が増えると、溢れた水はその自重によりボウル８１０に落下することにより、斜面７９２Ｂへの這い上がりを防止できるからである。
【００２４】
また一方、図５に表したように、水切り溝７９４の前方の内壁面７９４Ａが略鉛直面となるように水切り溝７９４を形成するとよい。このようにすると、水切り溝７９４の中に取り込まれた水は、略鉛直な内壁面７９４Ａを介してボウル８１０に落下しやすくなる。
【００２５】
またさらに、水切り溝７９４の前方に設けられる壁状部７９３は、水切り溝７９４に取り込まれた水をボウル８１０に滴下させる誘滴作用を有する。壁状部７９３の厚みＷ２を０．５〜３．０ミリメータ程度とすると、水切り溝７９４に取り込まれた水が溢れた時に壁状部７９３の先端から滴下させる作用を促進させることができる。
【００２６】
次に、水切り溝７９４の構造についてさらに詳細に説明する。  
図６は、本体部４００を正面から眺めた模式図である。  
また、図７は、傾斜部７９２を裏面側から眺めた模式図である。  
また、図８は、本体部４００を下方から眺めた模式図である。
【００２７】
図６に表したように、ノズルダンパー４６０の下方には、機内で生じた排水を排出するためのトイ状の排水部７７１が開設されている。この排水部７７１に排水流路７７２（図５参照）が設けられている。排水流路７７２は、図３に表したように、緩傾斜部７７２Ａと、急傾斜部７７２Ｂと、流路端７７２Ｃと、を有する。水切り溝７９４は、傾斜部７９２の斜面７９２Ｂの上を湾曲凹面４０２に沿って延在し、その両端は、前方に屈曲し、湾曲凹面４０２に向けて開口している。すなわち、水切り溝７９４の両端は、ケースプレート７７０の前面７９２Ａに開口された開口端７９４Ｃに連通している。壁状部７９３は、このように屈曲した水切り溝７９４によって左右及び後方の３方を取り囲まれた垂下体として形成されている。
【００２８】
このように水切り溝７９４の両端をケースプレート７７０の前面７９２Ａに開口させることにより、水切り溝７９４の中に取り込まれた水が、左右方向（図６における左右方向）に拡がるのを防止し、可及的にボウル８１０に落下させることができる。つまり、排水部７７１の両側において、水切り溝７９４をケースプレート７７０の前面７９２Ａに開口させることにより、排水部７７１から排出された水が開口端７９４Ｃよりも外側に這い出すことを防止できる。つまり、後方のみならず、左右方向に対しても、水の這い出しを抑制して水切り効果が得られる。
【００２９】
またさらに、本具体例の場合、ボウル８１０に突出した本体部４００の裏面を、雑巾などで掃除しやすいという利点もある。
【００３０】
なお、小水が本体部４００の裏面に回り込まないようにするために、傾斜部７９２はある程度の高さが必要である。しかし傾斜部７９２が高すぎると、男性や子供の立位での小用の際に見えてしまい、小用の的にされてしまう可能性がある。ケースプレート７７０の前面７９２Ａには後述するトイ状の排水部７７１が開設されているため、この前面７９２Ａが的にされるのを避けたい。そこで、ケースプレート７７０の前面７９２Ａを、水平方向に対して４７度程度、後方側に傾斜させることで、前面７９２Ａを立位の人の目線では視認不可能にしている。つまり、図６の正面図では排水部７７１は見えているが、立位の大人及び子供からは排水部７７１は見えないように配置されている。  
次に、本実施形態のトイレ装置の内部構造について具体例を参照しつつさらに詳細に説明する。  
図９は、本体部４００の内部を前方から眺めた斜視図である。  
本体部４００は、筐体を構成するケースカバー４３０とケースプレート７７０とを有する。ケースカバー４３０の上面には、人体検知センサ５００や表示部６７０が適宜設けられている。表示部６７０は、例えばトイレ装置に対する電源の投入状態などを適宜表示する役割を有する。また、ケースカバー４３０の前部の上部には、便座２００を自動開閉させるための電動開閉ユニット７８０が突出して設けられている。
【００３１】
一方、ケースカバー４３０の内部をみると、その前方には、ノズルユニット６１０、温風乾燥ユニット６２０、脱臭ユニット６３０、が併設されている。ノズルユニット６１０は、図４に関して前述したように、進退自在の吐水ノズルを有し、便座２００に座った使用者の「おしり」などに水を噴射して洗浄する役割を有する。温風乾燥ユニット６２０は、便座２００に座った使用者の「おしり」などに温風をあてて乾燥させる役割を有する。脱臭ユニット６３０は、便器８００のボウル８１０内の空気を吸引し、脱臭して排気口４４０から排出する役割を有する。
【００３２】
また、ケースカバー４３０の内部の前部上方にはＡＣ（交流）コントローラ６４０が設けられ、その後部には、ポンプユニット６５０と熱交換ユニット６６０が設けられている。熱交換ユニット６６０に供給された水が加熱され、ポンプユニット６５０で水に脈動を付与し、ノズルユニット６１０にこの脈動水を供給する。
【００３３】
また、ケースカバー４３０の側面には、補助操作ユニット（図示せず）が適宜設けられている。補助操作ユニットは、ノズルユニット６１０による「おしり」の洗浄などを操作するスイッチが設けられ、例えば、リモコン（図示せず）による操作が不可能な状態においても衛生洗浄機能の動作を制御可能としたものである。
【００３４】
一方、ケースカバー４３０の内部の後部には、電動開閉ユニット７２０と便器洗浄バルブユニット７３０とが併設されている。電動開閉ユニット７２０は、便蓋３００を開閉する役割を有する。便器洗浄バルブユニット７３０は、便器８００に流す洗浄水の供給を制御する役割を有する。すなわち、本具体例のトイレ装置は、いわゆる「水道直結給水式」の構造を有し、ロータンクなどを設けずに、水道から供給される水を便器洗浄バルブユニット７３０を介して便器８００に供給して洗浄を実施する。ただし、本発明はこれには限定されず、ロータンク式のトイレに取付可能な衛生洗浄装置も包含する。
【００３５】
一方、ケースカバー４３０の内部の最後部には、室内暖房ユニット７４０が設けられている。室内暖房ユニット７４０は、温風を排出口４５０（図１参照）から排出することによりトイレ装置が設置されたトイレ空間を暖房する役割を有する。
【００３６】
このような各種の機構を備えた本体部４００の内部において、排水が生ずる。すなわち、図４に関して前述したように、ノズルユニット６１０はその先端にノズル洗浄室６１７を備え、吐水ノズルの使用の前後などにノズル洗浄室において水を噴射することにより吐水ノズルを洗浄する。この洗浄水は、ケースプレート７７０の前端中央部に設けられたトイ状の排水部７７１の排水流路７７２を流れボウル８１０に排出される。この際に、図３〜図８に関して前述したような傾斜部７９２、水切り溝７９４などを設けることにより、排水部７７１から排出された水の這い上がりや回り込みを防止することができる。つまり、排水部７７１から排出された水が本体部４００と便器８００との隙間に侵入することを防止できる。
【００３７】
また一方、熱交換ユニット６６０に水を供給するバルブユニットには、バキュームブレーカーや安全弁（図示せず）が設けられている。バキュームブレーカーは、例えば、衛生洗浄装置１００を給水管から取り外す際などに、衛生洗浄装置１００の内部の配管などに残留した水を排水するためのバルブである。また、安全弁は、排水系統の水圧が万が一所定値よりも上昇した場合に、水を放出させるバルブである。本実施形態によれば、これらの要素から排出された排水を排水部７７１から排出させる際にも、図３〜図８に関して前述したような傾斜部７９２、水切り溝７９４などを設けることにより、排水部７７１から排出された水の這い上がりや回り込みを防止することができる。
【００３８】
図１０乃至図１３は、排水部７７１の構造を例示する模式図である。  
すなわち、図１０は、ケースプレート７７０の排水部７７１を眺めた模式斜視図である。  図１１及び図１２は、ノズルユニット６１０との関係を表した模式斜視図である。  
図１３は、ノズルユニット６１０を取り付けた状態で正面から眺めた模式斜視図である。
【００３９】
排水部７７１は、ボウル８１０に向けて下方に傾斜した排水流路７７２と集水部７７３とからなる集水構造を有する。排水流路７７２は、下方に向けて比較的緩やかに傾斜した緩傾斜部７７２Ａと、緩傾斜部７７２Ａの下流側に設けられ下方に向けて比較的大きく傾斜した急傾斜部７７２Ｂと、を有する。緩傾斜部７７２Ａは、ノズル洗浄室６１７のほぼ下方に位置し、図１０に表したように左右方向に湾曲した凹面とされている。ノズル洗浄室６１７から緩傾斜部７７２Ａに落下し、急傾斜部７７２Ｂを流れた水は、流路端（排水口）７７２Ｃからボウル８１０に向けて放出される。  
一方、集水部７７３は、排水流路７７２の両側に設けられた一対の堰を有する。そして、その堰は、流路端７７２Ｃに向けて流路幅を収束させる収束部７７３Ａと、収束部７７３Ａの下流側に設けられ収束部７７３Ａから流路端７７２Ｃに向けて水流を導く整流部７７３Ｂと、を有する。収束部７７３Ａにおいては流路の幅の変化は相対的に大きく、整流部７７３Ｂにおいては流路の幅の変化は相対的に小さい。
【００４０】
吐水ノズルの洗浄に際してノズル洗浄室６１７から排出された排水などは、まず、排水流路７７２の緩傾斜部７７２Ａに落下して下方に向けて流れ、この際に集水部７７３の収束部７７３Ａにおいてその流路が狭められ、流速が徐々に上昇する。そして、水流が急傾斜部７７２Ｂに進むとさらに加速され流速が上昇する。このようにして収束され加速された水流は、集水部７７３の整流部７７３Ｂにおいてさらに加速されるとともにその流れの乱れが抑制され整流される。このような集水構造により排水の流速を上げることにより、排水の放出速度を上げることができる。その結果として、排水が裏面側に回り込み、斜面７９２Ｂを這い上がることを抑制できる。
【００４１】
そして、本実施形態によれば、ケースプレート７７０の裏面側に水切り溝７９４を設けることにより、裏面側の斜面７９２Ｂへの水の這い上がりを可及的に防止できる。またさらに、水切り溝７９４の両端をケースプレート７７０の前面７９２Ａに連通させて開口端７９４Ｃを形成することにより、排水部７７１から排出された水が左右方向に拡がることも可及的に抑制できる。
【００４２】
図１４乃至図１６は、排水部７７１から排出される水流を表す模式図である。  
排出される流量が比較的大きい場合には、図１４及び図１５に例示したように、集水部７７３により収束され流速が上昇した収束流が形成される。例えば、図４に関して前述したノズル洗浄室６１７での吐水ノズルの洗浄の際には、最大で、毎分５００ミリリッター程度の水が排出される。この収束流は、排水部７７１から前方に向けて放出される際の流速が比較的大きいので、傾斜部７９２への回り込みは比較的少なく、ボウル８１０にそのまま落下する成分が大きい。また、傾斜部７９２へ回り込んだ水は、水切り溝７９４に取り込まれ、壁状部７９３の先端から落下する。
【００４３】
一方、図１６は、排水部７７１から排出される水の流量が少ない場合を表す。排水部７７１から排出される水の流量が少ない場合には、その流速も相対的に低下する。例えば、図４に関して前述した吐水ノズルの洗浄の終了後には、排水の流量が漸減する。また、吐水ノズルの進出前または後退後にノズル洗浄室６１７の中でその噴射孔６１６から所定量の吐水をさせる場合などは、排水の流量は比較的少ない。また、本体部４００内で生じた結露水が排水される場合も、やはり排水の流量は少ない。このように流量が少ない場合には、その流速も低下する。その結果として、排水部７７１から前方に向けて放出される速度成分も小さく、図１６に表したように、ケースプレート７７０の前面７９２Ａに沿って鉛直下方に滴下する傾向が強くなる。このような場合には、水はその表面張力により裏面側に回り込み、傾斜部７９２を這い上がる傾向も強くなる。これに対して、本実施形態によれば、水切り溝７９４を設けることにより、傾斜部７９２に這い上がる水をその内部に取り込み、それ以上這い上がらないように阻止することができる。水切り溝７９４に取り込まれた水が溢れると、壁状部７９３の先端からボウル８１０に滴下する。このようにして、排出される水量が小さい場合にも、斜面７９２Ｂへの水の這い上がりを防止することができる。
【００４４】
図１７は、本実施形態の変型例を表す模式断面図である。  
また、図１８は、本変型例の水切り溝を裏面側から眺めた模式図である。  
本変型例においては、２条の水切り溝７９４が互いに略平行に設けられている。これら水切り溝７９４は、それぞれの両端がケースプレート７７０の前面７９２Ａに開口端７９４Ｃを有する。このように複数の水切り溝７９４を設けることにより、斜面７９２Ｂへの水の這い上がりをさらに確実に阻止することが可能となる。なお、本発明においては、３条あるいはそれ以上の水切り溝７９４を設けることにより、水切り効果をさらに上げることも可能である。
【００４５】
次に、本実施形態において、本体部４００の前面を後方に後退させて湾曲凹面４０２とした効果について説明する。  
図１９は、本実施形態のトイレ装置から便座２００と便蓋３００を外して前方から眺めた斜視図である。  
また、図２０は、比較例のトイレ装置を前方から眺めた斜視図である。なお、図１９及び図２０は、便器８００の前にしゃがんだ状態で便器を清掃する使用者の目線からみたボウル８１０の眺めを表し、具体的には、便器８００の前端からおよそ１００ミリメータ離れ、床面から約１０００ミリメータの高さから眺めたボウル８１０の外観を表す。
【００４６】
また、図２１は、本実施形態のトイレ装置の断面図であり、
図２２は、比較例のトイレ装置の断面図である。図２１及び図２２は、便器８００の前にしゃがんだ状態で便器を清掃する使用者の目線からみえる範囲を説明するための模式図である。
【００４７】
まず比較例について説明すると、図２０及び図２２に表した比較例においては、本体部４００は便器８００のボウル８１０の上に延出し、破線で表した領域４００Ｐがボウル８１０の開口の後方部分を塞いでいる。しかし、このように本体部４００がボウル８１０の上にはみだしていると、男性の立位の小用の際に小水が本体部４００にかかりやすくなる。また、このように本体部４００がボウル８１０の上にはみだしていると、ボウル８１０の有効開口面積が狭められるため、立位で小用をする男性に対して狭窄感を与える。また、このようにはみだした領域４００Ｐの裏面側にも汚れが付着しやすく、その清掃性の点でも改善の余地がある。
【００４８】
さらには、このように本体部４００がボウル８１０の上にはみだしていると、ボウル８１０の後方上部に汚れが付着しても見えず、且つ、その部位の清掃がしにくくかった。すなわち、図２０に表した比較例の場合、使用者が便器８００の前にしゃがんだ状態においても、ボウル８１０の上端のリム部８２０は、本体部のはみ出し領域４００Ｐの陰に隠れて見えない。このため、使用者が領域４００Ｐの下のリム部８２０を掃除するためには、さらにかがんだ姿勢で覗き込むようにしなければならない。  
これに対して、本実施形態においては、図１９及び図２１に表したように、本体部４００の前面を後退させて湾曲凹面４０２を形成することにより、男性の立位での小用の際にも小水がかかりにくくなり、使用者に対して視覚的な狭窄感を与えることもない。また、図３に関して前述したように、湾曲凹面４０２の中央付近を高くすることにより、男性の立位の小用に際して本体部４００に小水がかかったとしても、湾曲凹面４０２の中央付近の背の高い部分で小水を受けてボウル８１０に落下させることができる。つまり、小水が本体部４００の傾斜面４０８などにかかることを抑制でき、小水による汚れを可及的に減らすことができる。
【００４９】
そして、このように本体部４００を後退させることにより、本体部４００の裏面への汚れの付着も抑制でき、清掃性も格段に改善できる。すなわち、本実施形態によれば、図２１に表したように、便器８００の前にしゃがんだ使用者の視線からみて、ボウル８１０の後端のリム部８２０の上端付近まで見える。従って、使用者は、その姿勢のまま雑巾やブラシなどを用いてボウル８１０の後端まで清掃し、汚れが落ちてきれいになったことを確実且つ容易に確認できる。また、本実施形態においては、本体部４００のボウル８１０の上への突出量が抑制されているので、その突出部の裏側に付着した汚れなどを清掃することも容易である。例えば、雑巾などで清掃する際にも、使用者が本体部４００の裏側に雑巾をあてがった状態で、左右にサッと拭き取ることができる。
【００５０】
図２３は、本実施形態における湾曲凹面４０２とボウル８１０との関係を説明するための模式平面図である。  
同図に表したように、本体部の湾曲凹面４０２は、ボウル８１０の開口形状にほぼ沿った形態を保ちつつ、湾曲凹面４０２のほぼ全体がボウル８１０の開口端よりもボウル８１０の側にわずかに突出している。湾曲凹面４０２の左右前端でのボウル８１０への突出量をａ、ｂとし、中央付近でのボウル８１０への突出量をｃとすると、ａ及びｂは相対的に小さく、ｃは相対的に大きくすることができる。このようにすれば、ボウル８１０の開口形状と略連続させてボウル８１０のほとんどを露出させつつ、本体部４００とボウル８１０の開口端との隙間への小水などの侵入を効果的に防止できる。これは、男性の立位の小用の際には、小水は主に中央付近に向けられるからであり、さらに本体部４００とボウル８１０の開口端との隙間が湾曲凹面４０２で覆われるため、その隙間に小水が直接かからないからである。また、このようにすると、排水及び脱臭のためのスペース（突出部）を確保することも容易となる。
【００５１】
具体的には、例えば、ａ及びｂは概ね数ミリメータ乃至１０ミリメータ程度で、ｃは概ね１０ミリメータ乃至１０数ミリメータ程度とすることができる。このように湾曲凹面４０２をわずかに突出させれば、小水の侵入を可及的に抑制できる。またさらに、本体部４００からボウル８１０への排水を確保し、さらに脱臭機能のための脱臭吸気口を確保することもできる。
【００５２】
また、本体部４００のボウル８１０への突出部の突出量をこのように制限することにより、例えば使用者の手指の先端から第１関節までの範囲で、雑巾を本体部４００の裏側にまんべんなくあてがうことも可能となる。つまり、使用者は、手指の第１関節を軽く曲げた状態のまま、手指の先端に雑巾をあてがって、本体部４００の湾曲凹面４０２に沿って左右に雑巾をサッと滑らすことにより、本体部４００の裏側と、これに隣接するリム部８２０の上端部を確実に清掃することが可能となる。湾曲凹面４０２はボウル８１０と略連続した曲面を構成しているので、雑巾がひっかかることもなく、スムーズ且つ確実に清掃できる。
【００５３】
そして、本実施形態によれば、このように本体部４００の前面を後退させて湾曲凹面４０２を形成しても、図３〜図１８に関して前述したような傾斜部７９２、水切り溝７９４などを設けることにより、排水部７７１から排出された水の這い上がりや回り込みを防止することができる。
【００５４】
以上、具体例を参照しつつ、本発明の実施の形態について説明した。しかし、本発明は、これらの具体例に限定されるものではない。例えば、本発明の衛生洗浄装置及びトイレ装置に含まれる、吐水ノズル、脱臭装置、温風乾燥装置、着座センサ、筺体、リモコン、腰掛便器などの各要素については、当業者が適宜設計変更することにより本発明を同様に実施し、同様の効果を得ることができるものも本発明の要旨を含む限り、本発明の範囲に包含される。その他、衛生洗浄装置や便器を構成する各要素について変更を加えたものであっても、本発明の要旨を備える限りにおいて、本発明の範囲に包含される。
【００５５】
また、本発明のトイレ装置は、「ロータンク式」のものでもよく、または、水道からの水を便器に直接給水し洗浄する「水道直結給水式」のものでもよい。  
また、図１乃至図２３に関して前述した特徴部分は、技術的な可能な範囲においていかようにも組合せることができ、これら組合せにより得られた衛生洗浄装置及びトイレ装置についても、本発明の要旨を含む限りにおいて本発明の範囲に包含される。
【００５６】
その他、本発明の実施の形態として上述した衛生洗浄装置及びトイレ装置を基にして、当業者が適宜設計変更して実施しうるすべての衛生洗浄装置及びトイレ装置も同様に本発明の範囲に属する。
【図面の簡単な説明】
【００５７】
【図１】本発明の実施の形態にかかるトイレ装置の外観を表す模式斜視図である。
【図２】トイレ装置の便座２００と便蓋３００を開いた状態を表す。
【図３】本具体例の衛生洗浄装置の本体部４００の断面構造を表す一部拡大断面図である。
【図４】ノズルユニット６１０の動作を例示する模式図である。
【図５】傾斜部７９２の拡大断面図である。
【図６】本体部４００を正面から眺めた模式図である。
【図７】傾斜部７９２を裏面側から眺めた模式図である。
【図８】本体部４００を下方から眺めた模式図である。
【図９】本体部４００の内部を前方から眺めた斜視図である。
【図１０】排水部７７１の構造を例示する模式図である。
【図１１】排水部７７１の構造を例示する模式図である。
【図１２】排水部７７１の構造を例示する模式図である。
【図１３】排水部７７１の構造を例示する模式図である。
【図１４】排水部７７１から排出される水流を表す模式図である。
【図１５】排水部７７１から排出される水流を表す模式図である。
【図１６】排水部７７１から排出される水流を表す模式図である。
【図１７】本実施形態の変型例を表す模式断面図である。
【図１８】変型例の水切り溝を裏面側から眺めた模式図である。
【図１９】本実施形態のトイレ装置から便座２００と便蓋３００を外して前方から眺めた斜視図である。
【図２０】比較例のトイレ装置を前方から眺めた斜視図である。
【図２１】本実施形態のトイレ装置の断面図である。
【図２２】比較例のトイレ装置の断面図である。
【図２３】本実施形態における湾曲凹面４０２とボウル８１０との関係を説明するための模式平面図である。
【符号の説明】
【００５８】
１００ 衛生洗浄装置、２００ 便座、３００ 便蓋、３１０ 透過窓、４００ 本体部、４０２ 湾曲凹面、４０４ 延出部、４０８ 傾斜面、４１０ 凹設部、４２０ 着座センサ、４３０ ケースカバー、４４０ 排気口、４５０ 排出口、４６０ ノズルダンパー、４７０ 温風ダンパー、５００ 人体検知センサ、６１０ ノズルユニット、６１１ ノズル基部、６１２、６１３、６１４ シリンダ部、６１５ ノズルヘッド、６１６ 噴射孔、６１７ ノズル洗浄室、６２０ 温風乾燥ユニット、６３０ 脱臭ユニット、６４０ コントローラ、６５０ ポンプユニット、６６０ 熱交換ユニット、６７０ 表示部、７２０ 電動開閉ユニット、７３０ 便器洗浄バルブユニット、７４０ 室内暖房ユニット、７７０ ケースプレート、７７１ 排水部、７７２ 排水流路、７７３ 集水部、７８０ 電動開閉ユニット、７９２ 傾斜部、７９２Ａ 前面、７９２Ｂ 斜面、７９３ 壁状部、７９４ 水切り溝、７９４Ａ 内壁面、７９４Ｃ 開口端、８００ 便器、８１０ ボウル、８２０ リム部
【図１】
2007315109.tif 000003
【図２】
2007315109.tif 000004
【図３】
2007315109.tif 000005
【図４】
2007315109.tif 000006
【図５】
2007315109.tif 000007
【図６】
2007315109.tif 000008
【図７】
2007315109.tif 000009
【図８】
2007315109.tif 000010
【図９】
2007315109.tif 000011
【図１０】
2007315109.tif 000012
【図１１】
2007315109.tif 000013
【図１２】
2007315109.tif 000014
【図１３】
2007315109.tif 000015
【図１４】
2007315109.tif 000016
【図１５】
2007315109.tif 000017
【図１６】
2007315109.tif 000018
【図１７】
2007315109.tif 000019
【図１８】
2007315109.tif 000020
【図１９】
2007315109.tif 000021
【図２０】
2007315109.tif 000022
【図２１】
2007315109.tif 000023
【図２２】
2007315109.tif 000024
【図２３】
2007315109.tif 000025